(57)【要約】中枢神経系、特に脊髄損傷への損傷は、プリンヌクレオシドまたは類似体を患者に投与すること、および、場合により、損傷部位を電気的に刺激することによって処理される。【特許請求の範囲】
【請求項１】
脊髄損傷を有する患者を治療する方法であって：
脊髄損傷部位を電気的に刺激すること；および、
プリンヌクレオシドまたはそれらの類似体を患者に投与すること；
を含み、損傷のある脊髄にわたる神経の機能が少なくとも部分的に回復される、前記方法。
【請求項２】
患者に、脊髄損傷部位を電気的に刺激する装置を埋め込むことをさらに含む、請求項１に記載の方法。
【請求項３】
前記装置は、振動電場刺激装置である、請求項２に記載の方法。
【請求項４】
前記プリンヌクレオシドは、イノシンを含む、請求項１に記載の方法。
【請求項５】
前記プリンヌクレオシドまたはそれらの類似体は、患者に全身投与される、請求項１に記載の方法。
【請求項６】
前記プリンヌクレオシドまたはそれらの類似体は、経口投与または皮下投与される、請求項１に記載の方法。
【請求項７】
前記プリンヌクレオシドまたはそれらの類似体は、脊髄損傷部位に局所投与される、請求項１に記載の方法。
【請求項８】
患者に装置を埋め込むことをさらに含み、前記装置により、前記プリンヌクレオシドまたはそれらの類似体が局所投与される、請求項７に記載の方法。
【請求項９】
前記脊髄損傷は、治療の３ヶ月より前に生じたものである、請求項１に記載の方法。
【請求項１０】
前記患者は、ヒトである、請求項１に記載の方法。
【請求項１１】
前記患者は、家庭用のペットである、請求項１に記載の方法。
【請求項１２】
神経機能の前記回復は、神経インパルスの伝達の回復、伝達作用能力の検出可能な増加、解剖学的な連結状態の観察、１を越える脊髄神経根レベルの回復、反射作用の挙動の増加、またはそれらの組合わせによって証明される、請求項１に記載の方法。
【請求項１３】
脊髄損傷を有する患者を治療する方法であって：
脊髄損傷部位を電気的に刺激すること；および、
患者に、プリンヌクレオシドまたはそれらの類似体を投与すること；
を含み、脊髄損傷部位における神経の再生が刺激される、前記方法。
【請求項１４】
脊髄損傷を有する患者を治療する方法であって、患者に、損傷のある脊髄にわたる神経の機能を回復させるのに有効な条件下でプリンヌクレオシドまたはそれらの類似体を投与することを含む、前記方法。
【請求項１５】
脊髄損傷を有する患者を治療する方法であって、患者に、脊髄損傷部位における神経の再生を刺激するのに有効な条件下でプリンヌクレオシドまたはそれらの類似体を投与することを含む、前記方法。
【請求項１６】
中枢神経系の損傷を治療するためのキットであって、前記損傷部位に電気刺激を適用するための手段、および、プリンヌクレオシドまたはそれらの類似体を含む、前記キット。
【請求項１７】
前記損傷部位に電気刺激を適用するための手段は、振動電場刺激装置を含み、前記プリンヌクレオシドまたはそれらの類似体は、イノシンを含む、請求項１６に記載のキット。
【請求項１８】
前記プリンヌクレオシドまたはそれらの類似体を、皮下、静脈内または髄腔内にデリバリーするための装置をさらに含む、請求項１６に記載のキット。
【請求項１９】
中枢神経系の損傷の治療に関する書面の指示書をさらに含む、請求項１６に記載のキット。
【発明の詳細な説明】
【発明の詳細な説明】
【０００１】
本願は、２００２年１２月３０日付で出願された米国仮出願第６０／４３７，１０４号（参照によりその全体を開示に含む）の利益を主張する。
【０００２】
背景
中枢神経系への損傷（脊髄への損傷など）が、最も打撃的で障害をもたらす損傷のなかの一つである。損傷の重症度によって、様々な程度の麻痺が生じ得る。場合によっては、対麻痺および四肢麻痺は、脊髄への重度の損傷によって生じる場合もある。その結果生じる罹患した者（例えばヒトまたは動物）への作用は重篤である。罹患した者は、ほとんど不動症か、またはそれより悪い状態に陥る可能性がある。ヒトにとって、このような重度の身体的な能力障害によって引き起こされる精神的な損傷は、身体的な能力障害それ自体よりもさらにより打撃的となる可能性がある。
【０００３】
哺乳動物の中枢神経系（ＣＮＳ）において、神経線維は、損傷または病気後に再生を開始するが、突然成長を止め、機能的な連結を形成しなくなる。この、神経の連結の形成の障害により、ダメージを有する領域を通過する神経インパルスの伝達が妨害されるが、これは、ＣＮＳの病気または損傷後の悲劇的な行動面における損失に関する生物学的な根拠である。この妨害を克服する方法としては、なんらかの刺激を与えて、損傷のある領域に意味のある神経の再生を誘導することが考えられる。これは、動物では、末梢神経への架橋の埋め込み、神経成長因子（ＮＧＦ）または脳由来神経成長因子（ＢＤＮＦ）のような化学成長因子のデリバリーによって、または、電気刺激の適用によって、限られた状況においてのみ達成されてはいるが、これらの方法はいずれも、ヒトでの使用が限定されるか、または不可能であるという深刻な欠点を有する。例えば、動物において、末梢での架橋が行動面での損失を実際に改善するという証拠はない。また、外科医が末梢への架橋の使用を採用する可能性は極めて低く、なぜならこの技術は、脊髄または脳への広範囲にわたる外科手術を必要とし、さらなるダメージを起こす恐れがあるためである。さらに、ＮＧＦやＢＤＮＦのような成長因子のデリバリーにより、かなりの副作用を起こし、それにより患者の状態を極端に悪くする、および／または、潜在性腫瘍の成長を刺激することが観察されている。
【０００４】
加えて、振動電場刺激（Oscillating Field Stimulation: ＯＦＳ）のような技術を用いた電気刺激の適用は、脊髄損傷に関する有望な治療へ発展してきたが、適用された電圧も欠点を有する。ＯＦＳ法は、イヌおよび動物において、損傷を受けてから最初の３週以内にＯＦＳの刺激装置を埋め込んだ場合にのみ作用する。この技術において、慢性的に損傷のある被検体の神経の再生が起こらないことは極めて明確である。これまで、１００匹超の慢性的に損傷のある（損傷後２ヶ月を超過した）実験用モルモットにおいて、ＯＦＳでは、神経の再生を起こすことができなかった（Ｂｏｒｇｅｎｓ等（１９９３年）Ｒｅｓｔｏｒ  Ｎｅｕｒａｌ  ａｎｄ  Ｎｅｕｒｏｓｃｉ  ５，１７３〜１７９）。長期にわたる脊髄損傷を有するヒトは、約２５０，０００〜３５０，０００人と推測されていることから、慢性的なＣＮＳ損傷をうまく治療することができないことは、根本的な問題を投げかけている。
【０００５】
従って、ＣＮＳ損傷、特に慢性的なＣＮＳ損傷における神経の再生を促進する方法が必要である。
【０００６】
発明の概要
本発明は、患者における中枢神経系（ＣＮＳ）への損傷（脊髄への損傷を含む）の治療方法を提供する。プリンヌクレオシドまたはそれらの類似体（例えばイノシン）の投与と組合わせて、振動電場刺激（ＯＦＳ）のような電気刺激の適用を含む二部式の治療により、神経の再生が起こり、ＣＮＳ損傷に苦しむ患者において神経の機能化および挙動が少なくとも部分的に回復することがわかった。本発明の方法は、急性損傷と慢性損傷の両方の治療に有効である。有利には、プリンヌクレオシドまたはそれらの類似体（例えばイノシン）を共に投与することが、慢性ＣＮＳ損傷への治療の選択肢としてのＯＦＳの有用性を拡大する。
【０００７】
一態様において、本発明は、脊髄損傷を有する患者を治療する方法を提供し、本方法は、損傷部位を電気的に刺激すること、および、患者に、プリンヌクレオシドまたはそれらの類似体を投与することを含み、損傷のある脊髄を通る神経の機能が少なくとも部分的に回復される、および／または、脊髄損傷部位における神経の再生が刺激される。損傷部位への電気刺激は、患者に装置を埋め込むことによって達成してもよい。この装置は、好ましくは、振動電場刺激（ＯＦＳ）装置である。
【０００８】
その他の態様において、本発明は、損傷部位における神経の再生を刺激するのに有効な条件下で、および／または、損傷のある脊髄を通る神経の機能を少なくとも部分的に回復させるのに有効な条件下で、患者に、プリンヌクレオシドまたはそれらの類似体を投与することによって、脊髄損傷を有する患者を治療する方法を提供する。
【０００９】
脊髄損傷としては、脊髄の完全な切断、脊髄の部分的な切断、または、脊髄の押しつぶしまたは圧縮による損傷が挙げられる。脊髄損傷は、治療の３ヶ月より前、治療の３週より前、または、治療の２週より前に生じたものであり得る。
【００１０】
神経機能の回復は、神経インパルスの伝達の回復、伝達作用能力の検出可能な増加、解剖学的な連結状態の観察、２以上の脊髄神経根レベルの回復、反射作用の挙動の増加、またはそれらの組合わせによって証明することができる。
【００１１】
プリンヌクレオシドまたはそれらの類似体は、患者に、経口または皮下を含む全身投与をできる。プリンヌクレオシドまたはそれらの類似体は、脊髄損傷部位に局所投与することができる。プリンヌクレオシドまたはそれらの類似体は、プリンヌクレオシドまたはそれらの類似体を投与する装置を、患者に埋め込むことによって投与することができる。プリンヌクレオシドまたはそれらの類似体は、製薬上許容できるキャリアーに含めて局所投与することができる。好ましいプリンヌクレオシドとしては、イノシンが挙げられる。
【００１２】
また、本発明は、中枢神経系（ＣＮＳ）損傷を治療するためのキットも含み、本キットは、第一の構成として、損傷部位に電気刺激を適用するための手段、および、第二の構成として、プリンヌクレオシドまたはそれらの類似体を含む。いくつかの実施態様において、損傷部位に電気刺激を適用するための手段は、振動電場刺激（ＯＦＳ）装置である。いくつかの実施態様において、プリンヌクレオシドまたはそれらの類似体としては、イノシンが挙げられる。いくつかの実施態様において、本キットは、プリンヌクレオシドまたはそれらの類似体を、皮下、静脈内または髄腔内にデリバリーするための装置をさらに含む。いくつかの実施態様において、本キットは、ＣＮＳ損傷の治療に関する書面の指示書をさらに含む。
【００１３】
定義
本発明において用いられる用語「患者」としては、ＣＮＳ損傷を受ける可能性がある動物が挙げられ、好ましくは哺乳動物である。好ましい実施態様において、患者は、ヒトである。その他の患者の例としては、家庭用のペット、例えばイヌやネコ、または、その他の哺乳動物、例えばヤギやウシが挙げられる。
【００１４】
本発明において用いられる用語「中枢神経系」または「ＣＮＳ」は、脳と脊髄の両方の神経組織を含む。この用語は、末梢神経系（ＰＮＳ）は含まない。本発明において用いられる用語「脊髄」は、脊柱の全てのニューロン構造を含む。
【００１５】
特に他の規定がない限り「ａ」、「ａｎ」」、「ｔｈｅ」および「少なくとも１つの（ａｔ  ｌｅａｓｔ  ｏｎｅ）」は、交換可能に用いられ、１、または、複数を意味する。
【００１６】
図面の簡単な説明
図１は、脊髄損傷に関する挙動インデックスとしての、躯幹の皮筋（ＣＴＭ）の反射作用を示す。図１Ａで示されるように、ＣＴＭ反射作用の求心および遠心経路は、モルモットの左側に図示される。モルモットの脊髄の右側で、脊髄損傷（説明する目的のために、大きいギャップで示す）は、その側においてのみ上行ＣＴＭ路をさえぎっている。これにより、背中の皮膚上に、触覚の刺激に反応しなくなる領域が生じる（すなわち反射消失）。図１Ｂは、無傷のＣＴＭ受容域の輪郭を示す。この領域内に触覚を与えると、背中の皮膚とこの領域の外側に痙攣が生じたが、刺激はＣＴＭの皮膚の収縮を生じなかった。この一連の鎮静剤投与の動物の皮膚の光の触覚の刺激を上から録画し、図面をコンピューターによって再構成する。図１Ｃは、全幅の脊髄の圧縮による損傷の結果を示す。ＣＴＭ受容域の下半分において輪郭をとられた領域は、反射消失領域である。触覚の刺激に反応しなくなったのは、このＣＴＭ受容域の下半分である。図１Ｄは、ＣＴＭの回復領域の輪郭を示す。この領域内において、ＣＴＭ反応性は元に戻っている。図１Ｅは、録画テープからの枠であり、毛を剃られた動物の背中上に入れ墨されたドットのグリッドを示す。
【００１７】
図２は、留置マーカー装置を用いた離断面の組織学的な決定を示す。全ての脊髄の顕微鏡写真において、脊髄の向きは、その長軸が、各写真の上から下へ配置される。「上」は、頭の先端（吻側）であり、尾部（尾の先端）は、下に向かっている。脊髄の端部は両方とも、モンタージュ写真図２Ａにおいて観察することができるが、右の端部のみ、図２Ｂにおいて観察することができる。陰影をつけた線は、マーカーによって明示された正確な離断面を示す。図２Ａにおいて、マーカーは、その正中線における挿入部から脊髄の右の端部の近辺にシフトしているが、マーカーを除去した後に残った孔がはっきり目視できる。なお、離断面は、これらの脊髄においても容易に決定することができるが、これは、孔の左への瘢痕と軸索の欠如が、明らかに離断面の左の端部を明示しているためである。これを、図２Ｂの他の組織学的断片（マーカーが右にシフトしている）に示す。囲まれた領域は、マクロファージで充填された嚢であり、図２Ｄで、より高い拡大度で示される。図２Ｃにおいて、脊髄の中心におけるマーカーの孔（端部は画面の枠外である）を示す。マーカーの孔の左（図２Ｅにおいて）に関して留意すべきは、長い軸索は、組織が乱れた瘢痕組織に隣接して存在し、ダメージを受けていない実質組織内で、右側方の半側切断の左に組織化される。断片の面は、画面の枠外で、脊髄の右の端部に伸びている。
【００１８】
図３は、実験的な適用の後にの、上行（ゾーン１〜４，左から右へ移動する）、および、下行（ゾーン１〜４，右から左へ移動する）軸索の投影を示す。この図面は、脊髄を図示しており、右に向かって頭（吻側）の末端であり、左に向かって尾（尾部）の末端である。図面のほぼ中央に、右側方の半側切断の位置（脊髄の右側のみを切断）を、正中線から図面の右の端部へ濃い黒色の線で示す。明るい灰色と黒色で図示された線維（それぞれ尾部側と吻側側から充填される）は、この離断面（マーカーの孔の位置によって設定された）を過ぎてよく投影している。脊髄の右側に図示された線維は、離断面よりかなり短く終結している場合もあり（２５０μｍ未満；ゾーン１）、または、離断の２５０μｍまたはそれ未満（ゾーン２）内に投影している場合もある。線維はまた、離断面で終結しており、場合によってはその端部に沿って短い距離で伸びていることが観察され（ゾーン３）、または、それらは、通常、離断の周りを通過すること、または、離断を越えて通過することによって、隣接する脊髄セグメントに投影することが観察された（ゾーン４）。
【００１９】
例示的明実施態様の詳細な記述
本発明は、概して、神経の機能を少なくとも部分的に回復させるための、哺乳動物の中枢神経系（ＣＮＳ）への損傷を治療する方法に関し、ここで、上記ＣＮＳとしては、これらに限定されないが、脊髄損傷が挙げられる。本発明を用いることによって、プリンヌクレオシドまたはそれらの類似体の投与と組合わせた、電気刺激の適用を含む二部式の損傷のあるＣＮＳへの治療は、急性ＣＮＳ損傷と慢性ＣＮＳ損傷の両方で神経の再生を起こし、神経の機能を回復させることがわかった。好ましい実施態様において、振動電場刺激（ＯＦＳ）と、プリンヌクレオシドのイノシンとを組合わせた治療による脊髄損傷の治療は、急性および慢性の脊髄損傷の両方において、脊髄損傷における脊髄の神経の再生、および、神経の機能化および挙動の回復を起こすのに用いられる。
【００２０】
本発明の方法によって、多種多様なＣＮＳ損傷を処理することもできる。本発明において用いられる用語「損傷」は、一般的に、神経細胞内部（細胞質）において、塩を含むゲルを、神経細胞が浸されている塩を含む流体（細胞外液）から分離する神経膜の能力が崩壊しているような、神経細胞の膜の破損を意味する。これらの２つの流体区画における塩のタイプは、極めて多様であり、イオンと、損傷によって生じる水分が交換されることにより、神経は、神経インパルスを生じさせ、伝達させることができなくなり、さらに細胞は死に至る。損傷は、ＣＮＳの正常な機能化に直接的または間接的に影響を与えるダメージを含む。損傷は、構造的、物理的または機械的な欠陥であってもよく、神経線維が押しつぶし、圧縮または伸長を受ける場合のような物理的な衝撃によって生じるものでもよい。あるいは、細胞膜は、病気、化学物質の平衡異常、または、生理学的な機能不全、例えば無酸素症（例えば卒中）、動脈瘤または再潅流、破壊または分解されてもよい。ＣＮＳ損傷としては、例えば、これらに限定されないが、網膜の神経節細胞へのダメージ、外傷性の脳の損傷、卒中に関連する損傷、脳の動脈瘤に関連する損傷、脊髄損傷、例えば単麻痺、両側麻痺、対麻痺、片麻痺および四肢麻痺など、神経増殖性の疾患、または、神経障害性の疼痛症候群が挙げられる。
【００２１】
哺乳動物の脊髄に損傷があると、脊髄中の神経間の連結が破壊される。このような損傷により、損傷によって影響を受けた神経路に関連する神経インパルスの流れがブロックされ、その結果、感覚および運動性機能の両方に欠陥が生じる。脊髄への損傷は、脊髄の圧縮またはその他の挫傷、または、脊髄の押しつぶしまたは切断によって生じる可能性もある。脊髄の切断はまた、本発明においては、「離断(transection)」ともいい、脊髄の完全な切断でもよいし、または、不完全な切断でもよい。
【００２２】
本発明の方法は、ＣＮＳの急性損傷と慢性損傷の両方を治療するのに用いことができ、このような損傷としては、これらに限定されないが、急性および慢性の脊髄損傷が挙げられる。好ましい実施態様において、本発明の方法は、脊髄の慢性損傷を治療するのに用いられる。本発明において用いられる用語「急性損傷」は、最近生じた可能性のある損傷を含む。例えば、急性損傷は、極めて最近、１時間またはそれ未満、１日またはそれ未満、１週またはそれ未満、または、２週またはそれ未満に生じたものが挙げられる。本発明において用いられる用語「慢性損傷」は、ある期間持続した損傷である。例えば、慢性損傷は、２週より前、３週より前、２ヶ月より前、または、３ヶ月超より前に生じたものが挙げられる。
【００２３】
本発明のＣＮＳ損傷の治療における二部式の治療の一方は、ＣＮＳ損傷部位への電気刺激の適用である。ここ２０年で、電気刺激は、損傷後、哺乳動物の脊髄軸索の再生を高め、軸索退行性変性を減少させ得ることがわかっている。ＣＮＳ損傷部位に電気刺激をデリバリーする様々な既知の方法のいずれかを用いることができる。本方法は、損傷部位を通過する電流、および／または、損傷部位にまたがる電圧差または電位差の適用を包含する。電流は、交流でもよいし、直流でもよい。電流および／または電圧差は、一定でもよいし、変化させてもよい。ＣＮＳ損傷の電気刺激は、生体電気刺激装置の埋め込みによって達成してもよい。
【００２４】
損傷部位を電気的に刺激するための好ましい方法は、振動電場刺激（ＯＦＳ）の使用であり、この場合、電場の極性は、定期的に転換される。振動電場刺激は、イヌにおける、急性で重度の自然に生じた対麻痺の治療において、実用的で有益な結果を得ており（米国特許第４，９１９，１４０号）、現在、ヒトにおける急性の脊髄損傷の治療に関する臨床試験が行われている。しかしながら、これまで、このような電気刺激使用の成功例は全て、急性損傷の治療に限定されてきた。哺乳動物のＣＮＳにおける損傷のある神経のいかなる再生は、たとえ再生されたとしても、損傷が起こった直後の極めて短い時間のうちにしか起こらないことがわかっている。この短時間が過ぎた後、神経の再生は観察されていない。従って、慢性損傷の有効な治療に関する本発明の結果は、劇的であり、予想外である。
【００２５】
装置の埋め込み（例えば「生体電気インプラント」）、および、ＯＦＳによる損傷部位への電気刺激の適用のための手順は、当業界周知である。電流を発生させ、損傷部位にまたがって電圧差または電位差を生じさせる。好ましい生体電気インプラントは、損傷の周りに、数百μＶ／ｍｍの規模（例えば１００μＶ／ｍｍ〜５００μＶ／ｍｍ）で定常的な直流（ＤＣ）電場を生じさせる。小型のイヌにおいて、この電場は、例えば、いずれかの損傷部位の２つの電極間で約２００μＡの電流を流すことによって生じ得る。ヒトにおいて、以下で説明するように、好ましくは、複数の電極対が用いられる。刺激装置は小さく、背中の皮膚の下に容易に外科的に埋め込まれる。弱い電場を生じさせるのに必要な電流量は、損傷部位の断面積と電極間の距離に応じて様々である。必要な電流をデリバリーするために、２またはそれ以上の電極対を使用することが、介在する組織を通過する電流量を減少できるために好ましいことがわかった。断面積が増加するに従って、電場を生じさせるのに用いられる電極対の数も増加することが好ましい。例えば、断面積が３倍増加すると、あらゆる組織断片を通過する電流量を安全なレベルに維持するために、電極の数を３倍にすることが必要であり得る。例えば、一実施態様において、６個の電極（３対）は脊柱を経由し、損傷部位の上と下に付着させる。ワイヤー（電極）は、脊柱の外側に残し、脊髄それ自体に接触させないが、それによって生じた電場は脊髄にまたがって印加される。ユニット全体は、典型的には、埋め込み後約１４週で外科的に除去される。この埋め込み／外植は、ヒトの脊髄損傷のある患者でのフェーズ１臨床試験でまったく安全であることがすでに決定されている。例えば、以下をを参照：米国特許第４，９１９，１４０号，Ｂｏｒｇｅｎｓ等（１９８６年）Ｊ  Ｃｏｍｐ  Ｎｅｕｒｏｌ  ２５０，１６８〜１８０；Ｂｏｒｇｅｎｓ等（１９８７年）Ｓｃｉｅｎｃｅ  ２３８，３６６〜３６９；Ｂｏｒｇｅｎｓ等（１９９０年）Ｊ  Ｃｏｍｐ  Ｎｅｕｒｏｌ  ２９６，６３４〜６５３；Ｂｏｒｇｅｎｓ等（１９９３年）Ｒｅｓｔｏｒ  Ｎｅｕｒｏｌ  Ｎｅｕｒｏｓｃｉ  ５，３０５〜３２２；Ｂｏｒｇｅｎｓ等（１９９３年）Ｒｅｓｔｏｒ  Ｎｅｕｒｏｌ  Ｎｅｕｒｏｓｃｉ  ５，１７３〜１７９；ＢｏｒｇｅｎｓおよびＢｏｈｎｅｒｔ（１９９７年）Ｅｘｐ  Ｎｅｕｒｏｌ  １４５，３７６〜８９；Ｂｏｒｇｅｎｓ等（１９９９年）Ｊ  Ｎｅｕｒｏｔｒａｕｍａ  １６，６３９〜５７；Ｂｏｒｇｅｎｓ（１９９９年）Ｎｅｕｒｏｓｃｉｅｎｃｅ  ９１，２５１〜６４；および、Ｂｏｒｇｅｎｓ（２００３年）Ｒｅｓｔｏｒｉｎｇ  Ｆｕｎｃｔｉｏｎ  ｔｏ  ｔｈｅ  Ｉｎｊｕｒｅｄ  Ｈｕｍａｎ  Ｓｐｉｎａｌ  Ｃｏｒｄ，（Ｓｐｒｉｎｇｅｒ−Ｖｅｒｌａｇ，Ｈｅｉｄｅｌｂｅｒｇ）。代表的な生体電気刺激装置の完全な中核の回路構成要素と図解は、例えば、ｉｎ  Ｂｏｒｇｅｎｓ等（１９９９年）ＪＮｅｕｒｏｔｒａｕｍａ  １６，６３９〜５７で示される通りである。本発明の二部式の治療において、電気刺激（「バイオインプラント」を介して付与された）、および、健康食品の添加剤であるイノシンもしくはその他のプリンヌクレオシド、または、それらの類似体（経口投与さ���た、または、皮下注射で投与された）は、損傷後のいずれかの時点で、好ましくは同時にデリバリーすることができる。
【００２６】
ＯＦＳのような電気刺激を損傷のある部位へ適用する期間の長さは、様々であってよい。電気刺激は、数日投与してもよく、例えば約１日、約２日、約３日、約４日、約５日間、または、その間のいずれかの時点で投与してもよい。電気刺激は、数週投与してもよく、例えば約１週、約２週、約３週、約４週、または、その間のいずれかの時点で投与してもよい。電気刺激は、で数ヶ月投与してもよく、例えば約１ヶ月、約３ヶ月、約４ヶ月、約５ヶ月、約６ヶ月、または、その間のいずれかの時点で投与してもよい。急性損傷の治療のためには、損傷のある部位への電気刺激の適用は、損傷が生じたほぼ直後に開始してもよいし、または、損傷のある部位への電気刺激の適用は、損傷が生じてから数時間または数日後に開始してもよい。例えば、治療は、損傷後約８〜約１２時間、数日、または、約１４〜約２１日間に開始してもよい。慢性損傷の治療のためには、電気刺激の適用は、いずれかの時点で開始すればよい。例えば、適用は、損傷後、約２週、約３週または約１ヶ月に開始してもよいし、または、損傷後、数ヶ月または数年に開始してもよい。
【００２７】
本発明に係るＣＮＳ損傷の治療における二部式の治療の第二の部分は、プリンヌクレオシドまたはそれらの類似体の投与である。本発明において用いられる「プリンヌクレオシド」としては、糖に連結したあらゆるプリン塩基、またはそれらの類似体が挙げられる。例えば、プリンヌクレオシドとしては、グアニン、イノシンまたはアデニン、および、それらの類似体、例えば６−チオグアニン（６−ＴＧ）などが挙げられる。好ましい実施態様において、プリンヌクレオシドは、イノシンである。
【００２８】
プリンヌクレオシドのイノシンとグアノシンは、神経分化誘導物質として作用し、この物質は、インビトロで網膜の神経節細胞に投与された場合、軸索の伸長を刺激することが、近年実証されている（米国特許第６，４４０，４５５号、および、Ｂｅｎｏｗｉｔｚ等（１９９９年）Ｐｒｏｃ  Ｎａｔｌ  Ａｃａｄ  Ｓｃｉ  ＵＳＡ  ９６，１３４８６〜９０を参照）。イノシンは、既知の副作用がない天然に存在する代謝産物である。さらに、本発明で実証されるように、イノシンは、インビボで投与されると、「マイルド」な神経成長因子として作用し、より一般的に知られている神経成長因子（例えばＮＧＦ）の投与に関する深刻な副作用が起こらない。本発明で使用するためのプリンヌクレオシドおよびそれらの類似体は、容易に入手可能である。例えば、イノシンは、化学物質製造会社（例えば、シグマ・ケミカル社（Ｓｉｇｍａ  ｃｈｅｍｉｃａｌ  Ｃｏｍｐａｎｙ），セントルイス，ミズーリ州が挙げられる）、または、健康サプリメントを販売している健康ストアーより市販されている。
【００２９】
プリンヌクレオシドまたはそれらの類似体は、本発明により、二部式の治療の一部として、またあるいは、損傷部位への電気刺激を行わない治療として投与することができるものとする。後者の用途において、ＣＮＳ損傷は、好ましくは、脊髄損傷であり、これは、急性損傷または慢性損傷のいずれでもよい。
【００３０】
プリンヌクレオシドまたはそれらの類似体（例えばイノシン）の投与期間の長さは、様々であってよい。プリンヌクレオシドまたはそれらの類似体は、数時間、例えば約１時間、約２時間、約４時間、約６時間、約８時間、または、約１２時間にわたって投与してもよいし、または、その間のいずれかの時点で投与してもよい。プリンヌクレオシドまたはそれらの類似体は、数日にわたって投与してもよく、例えば約１日、約２日、約３日、約４日、約５日間、または、その間のいずれかの時点で投与してもよい。プリンヌクレオシドまたはそれらの類似体は、数週間にわたって投与してもよく、例えば約１週、約２週、約３週、約４週、または、その間のいずれかの時点で投与してもよい。プリンヌクレオシドまたはそれらの類似体は、数ヶ月にわたって投与してもよく、例えば約１ヶ月、約３ヶ月、約４ヶ月、約５ヶ月、約６ヶ月間、または、その間のいずれかの時点で投与してもよい。急性損傷の治療のためには、プリンヌクレオシドまたはそれらの類似体の投与は、損傷が生じたほぼ直後に開始してもよい。あるいは、プリンヌクレオシドまたはそれらの類似体の投与は、損傷後、数時間または数日に開始してもよい。例えば、治療は、損傷後、約１〜約２時間，約４〜約６時間、約２日〜約６日、または、約１４日〜約２１日に開始してもよい。慢性損傷の治療のためには、プリンヌクレオシドまたはそれらの類似体の投与は、いずれかの時点で開始すればよい。例えば、投与は、損傷後、約２週に開始してもよいし、損傷後、約３週または約１ヶ月に開始してもよい、または、損傷後、数ヶ月または数年に開始してもよい。
【００３１】
本発明の方法において、プリンヌクレオシドまたはそれらの類似体、製薬上許容できるキャリアー中で与えることができる。本発明において用いられる用語「製薬上許容できるキャリアー」としては、生理学的に適合する全てのあらゆる溶媒、分散媒、コーティング、抗菌剤および抗真菌剤、等張剤および吸収遅延剤などが挙げられる。このようなキャリアーとしては、例えば、水、好ましくは滅菌水、例えば蒸留水、および、治療上の副作用がないと予想される当業界既知のあらゆるその他の製薬上許容できるキャリアーが挙げられる。いくつかの実施態様において、イノシンのための好ましいキャリアーは、滅菌乳酸リンゲル液である。
【００３２】
本発明のその他の態様において、プリンヌクレオシドまたはそれらの類似体は、製薬上許容できる製剤中で投与してもよい。製薬上許容できる製剤は、分散系、例えば脂質ベースの製剤、リポソーム製剤、多胞性リポソーム製剤、ナノカプセル、マイクロスフェア、ビーズが挙げられ、または、脂質ベースの製剤としては、水中油型乳濁液、ミセル、混合ミセル、合成膜小胞、および、放出された赤血球が挙げられる。製薬上許容できる製剤はまた、高分子マトリックスを含んでもよく、これは、例えば、合成ポリマー、例えばポリエステル（ＰＬＡ，ＰＬＧＡ）、ポリエチレングリコール、ポロキサマー、ポリ無水物、および、プルロニックから選択され、または、自然に誘導されるポリマー、例えばアルブミン、アルギン酸塩、セルロース誘導体、コラーゲン、フィブリン、ゼラチン、および、多糖類から選択される。
【００３３】
本発明のさらにその他の態様において、製薬上許容できる製剤は、被検体に製薬上許容できる製剤が投与された後、少なくとも１、２、３または４週にわたり、被検体にプリンヌクレオシドを持続的にデリバリーすること、すなわち「徐放」することを提供する。本発明の製剤の持続性のデリバリーは、例えば、徐放性カプセルまたは輸液ポンプの使用によって提供され得る。
【００３４】
本発明の一実施態様のいずれかで用いられるプリンヌクレオシドまたはそれらの類似体の正確な量は、当業界公知の因子に従って多様であると予想され、このような因子としては、これらに限定されないが、プリンヌクレオシドまたはそれらの類似体の物理的および化学的性質、製薬上許容できるキャリアーの性質、目的とする投与計画、被検体の損傷の状態、および、プリンヌクレオシドまたはそれらの類似体の投与方法が挙げられる。従って、全ての考えられる用途に有効なプリンヌクレオシドまたはそれらの類似体の量を構成する量を一般的に説明することは実用的ではない。しかしながら、当業者であれば、このような要素の適切な考察に基づき適切な量を容易に決定することができる。治療上有効なイノシン濃度の非限定的な範囲は、約１μＭ〜約１００ｍＭ、より好ましくは約５０μＭ〜約５０ｍＭである。治療上有効なグアノシン濃度の非限定的な範囲は、約１μＭ〜約１００ｍＭ、より好ましくは約５０μＭ〜約５０ｍＭである。
【００３５】
本発明に従って、プリンヌクレオシドまたはそれらの類似体は、多種多様な手段によって被検体に投与してもよい。プリンヌクレオシドまたはそれらの類似体は、ＣＮＳ損傷の治療が必要な被検体に全身投与してもよい。例えば、プリンヌクレオシドまたはそれらの類似体は、血液供給(blood supply) による静脈内投与、皮下投与、腹腔内投与、経皮投与、または、経口投与してもよい。皮下へのデリバリーには、輸液ポンプまたはミニポンプを用いてもよい。同様に、プリンヌクレオシドまたはそれらの類似体は、ＣＮＳ損傷部位に局所投与してもよい。例えば、プリンヌクレオシドまたはそれらの類似体は、脊柱の鞘へ髄腔内デリバリーしてもよい。輸液ポンプまたはミニポンプは、このような局所デリバリーに用いてもよい。
【００３６】
ＣＮＳ損傷の治療には、損傷のある部位への電気刺激と、プリンヌクレオシドまたはそれらの類似体の投与の両方は、いずれかの時点で同時に開始されてもよい。あるいは、本発明の二部式治療の一方を他方の前に開始してもよい。すなわち、損傷のある部位への電気刺激をプリンヌクレオシドまたはそれらの類似体の投与の前に開始してもよく、または、プリンヌクレオシドまたはそれらの類似体の投与を、損傷のある部位への電気刺激の前に開始してもよい。言い換えれば、損傷のある部位への電気刺激と、プリンヌクレオシドまたはそれらの類似体の投与は、いずれかの時点で同時に、または、異なる時間で、開始してもよいし、および／または、停止してもよい。
【００３７】
あるいは、本発明の二部式治療の一方は、他方の前に完了していてもよい。すなわち、損傷のある部位への電気刺激は、プリンヌクレオシドまたはそれらの類似体の投与を停止する前に停止してもよいし、または、プリンヌクレオシドまたはそれらの類似体の投与は、損傷のある部位への電気刺激を停止させる前に停止させてもよい。
【００３８】
治療期間中、損傷部位への電気刺激と、プリンヌクレオシドまたはそれらの類似体の投与の両方が、同時に施される期間があることが好ましい。しかしながら、本発明はまた、損傷のある部位への電気刺激と、プリンヌクレオシドまたはそれらの類似体の投与を連続して施すことも包含することに留意すべきである。連続的に施すことにおいて、治療の二つ部の間の期間は、短いことが好ましく、例えば、１時間または１日未満である。同様に、本発明は、電気刺激と、プリンヌクレオシドまたはそれらの類似体を、交互に、または断続的に施すことを包含する。言い換えれば、本発明は、２つの治療が投与される順番、または、それらが厳密に同時になるように投与されるかどうかということによって限定されることは意図しない。電気刺激およびプリンヌクレオシドまたはそれらの類似体の同時の投与が好ましいが、最低限、両方の治療が調整された治療計画の一環に含まれるように想定される。
【００３９】
本発明の方法は、ＣＮＳ損傷後の少なくとも部分的な神経機能の回復、および／または、神経の再生に有効である。本発明の治療の効果は、様々な方法で決定することができる。例えば、本発明の治療の効果は、神経機能の回復を検出する方法によって決定することができる。損傷のある部位を通過する活動電位（例えばＣＡＰ）の伝達の回復または増加は、神経の機能が少なくとも部分的に回復したことを示す指標として用いることができる。治療後に活動電位の伝達が増加すると、神経の機能は少なくとも部分的に回復したとみなされる。ＣＡＰの伝達の少なくとも約１０％の増加が達成されるのに十分な程度に治療が伝達されることが好ましい。その上、解剖学的な連結状態の回復はまた、実施例で説明されるような、高解像度の光学顕微鏡を用いた試験によって、および／または、修復された神経組織（例えば修復された軸索）を介する細胞内の蛍光色素の拡散によって、または、修復された軸索の膜の直接的な観察によって観察することもできる。加えて、ヒトへの適用において、好ましい治療の効果は、Ａｍｅｒｉｃａｎ  Ｓｐｉｎａｌ  Ｉｎｊｕｒｙ  Ａｓｓｏｃｉａｔｉｏｎ（ＡＳＩＡ）の運動性スコア、および／または、Ｎａｔｉｏｎａｌ  Ａｎｉｍａｌ  Ｓｐｉｎａｌ  Ｃｏｒｄ  Ｉｎｊｕｒｙ  Ｓｔｕｄｙ（ＮＡＳＣＩＳ）のスコアによって決定されたような脊髄神経根レベルの、１を越える回復として観察されてもよく、これらは、当業界公知であり、Ｗａｇｉｈ等（１９９６年）Ｓｐｉｎｅ  ２１，６１４〜６１９で説明されている。その上、獣医学的な用途において、躯幹の皮筋（ＣＴＭ）反射作用の挙動の解析（実施例でより詳細に説明する）を、治療の効果、および、神経の機能が少なくとも部分的に回復したかどうかを決定するのに用いることもできる。この解析を用いると、治療後に反射作用の挙動が増加した場合、神経の機能が少なくとも部分的に回復したとみなされるが、望ましくは、ＣＴＭ挙動が回復したエリアが少なくとも約１０％増加することが達成されるような治療が好ましい。本発明の治療方法の効果はまた、上述の方法の組合わせによって決定してもよい。
【００４０】
本発明の治療の効果は、神経の再生を検出する方法によって決定してもよい。例えば、神経の再生は、実施例で説明されるような、高解像度の光学顕微鏡を用いた試験によって、および／または、修復された神経組織（例えば修復された軸索）を介する細胞内の蛍光色素の拡散によって、または、修復された軸索の膜の直接的なによって観察することもできる。
【００４１】
いくつかの実施態様において、患者に、ＣＮＳ損傷部位を電気的に刺激すること、および、プリンヌクレオシドまたはそれらの類似体を投与することにより、神経機能の回復の増加は、ＣＮＳ損傷部位を電気的に刺激すること単独、または、プリンヌクレオシドまたはそれらの類似体を投与すること単独によって生じた増加より大きくなる可能性がある。いくつかの実施態様において、患者に、ＣＮＳ損傷部位を電気的に刺激すること、および、プリンヌクレオシドまたはそれらの類似体を投与することにより、神経機能の回復が相乗的に増加する可能性がある。すなわち、二部式治療によって得られた神経の機能の回復は、ＣＮＳ損傷部位を電気的に刺激すること単独と、プリンヌクレオシドまたはそれらの類似体を投与すること単独によって得られた神経の機能の回復の合計より大きい。
【００４２】
いくつかの実施態様において、本発明は、電気刺激の適用と、プリンヌクレオシドまたはそれらの類似体の投与を用いた損傷の治療に加えて、その他の従来の市販の（ｍａｎａｇｅｍｅｎｔ）化合物および／または組成物を用いた損傷の治療を含んでもよい。例えば、損傷はまた、ポリアルキレングリコールまたはステロイド（例えばメチルブレドニゾロン）で処理してもよい。例えば、ポリアルキレングリコールは、ＷＯ０２／０９２，１０７、および、米国特許出願第０９／４３８，２０６号（１９９９年１１月１２日付で出願された）で説明されているようにして投与してもよい。
【００４３】
また、損傷部位に電気刺激を適用しないプリンヌクレオシドまたはそれらの類似体の投与によるＣＮＳ損傷の治療も、本発明の範囲内であると考えられる。例えば、脊髄損傷（これらに限定されないが、慢性の脊髄損傷が挙げられる）は、電気刺激を適用しないで、イノシン投与によって治療してもよい。
【００４４】
本発明は、ＣＮＳ損傷（これらに限定されないが、脊髄損傷が挙げられる）を治療するためのキットを提供する。本キットは、典型的には、適切なパッケージング材中に、第一の構成と第二の構成を含み得る。第一の構成は、損傷部位に電気刺激を与える手段であり、例えば、ＯＦＳ装置である。第二の構成は、治療に十分な量のプリンヌクレオシドまたはそれらの類似体である。プリンヌクレオシドまたはそれらの類似体は、皮下、静脈内、髄腔内、局所デリバリーなどに適した医薬製剤の態様であり得る。プリンヌクレオシドまたはそれらの類似体は、イノシンであり得る。加えて、本キットは、例えば、本発明を実施するのに必要な緩衝液および溶液のようなその他の試薬を含んでいてもよい。典型的には、ＣＮＳ損傷の治療のために、電気刺激を与えるため、および／または、プリンヌクレオシドまたはそれらの類似体を投与するための指示書が含まれる。本キットは、例えば、プリンヌクレオシドまたはそれらの類似体の皮下、髄腔内または静脈内デリバリーに必要な追加の装置または試薬をさらに含んでもよい。このような装置または試薬としては、例えば、ミニポンプ、シリンジ、針、局所麻酔剤などが挙げられる。本発明において用いられる用語「パッケージング材」は、キットの内容物を収容するのに用いられる１またはそれ以上の物理的な構造を意味する。パッケージング材は、好ましくは、滅菌された汚染のない環境を提供するように、周知の方法によって構築される。パッケージング材は、第一の構成と第二の構成が、ＣＮＳ損傷の治療に使用可能であることを示す標識を有する。本発明において用いられる用語「パッケージ」は、固体マトリックスまたは材料を意味し、例えばガラス、プラスチック、紙、箔などである。典型的には、「使用指示書」は、ＣＮＳ損傷の治療のための本キットの第一および／または第二の構成の準備および投与を説明する明確な表現を含む。
【００４５】
以下の実施例で、本発明を説明する。当然ながら、特定の実施例、材料、量および手順は、本明細書に記載の本発明の範囲と本質に従って広く解釈することができる。
【００４６】
実施例
実施例１：２種の神経分化誘導性の要素（適用された細胞外電圧の勾配、および、イノシン）を同時適用することによる挙動的および解剖学的な相乗作用
【００４７】
この実施例によれば、脊髄損傷（ＳＣＩ）後に機能的な応答を高めるために、振動電場刺激（ＯＦＳ）とイノシン輸液との治療の組合わせを用いた。研究用のＳＣＩ挙動モデルとして、成体モルモットにおける慢性の躯幹の皮筋（ＣＴＭ）の機能的な欠損が、以下の数々の理由のために選択された；第一に、関連する上行ＣＴＭ白質路の離断が、動物の寿命にわたりＣＴＭ機能を永久的に失わせることである。加えて、モルモットとイヌにおける対麻痺の臨床ケースの両方において、損傷の急性段階での電場の適用によって、挙動の欠損が部分的に元に戻ったが（Ｂｏｒｇｅｎｓ等（１９９０年）Ｊ．Ｃｏｍｐ．Ｎｅｕｒｏｌ．２９６，６３４〜６５３；Ｂｏｒｇｅｎｓ等（１９９３年）Ｒｅｓｔｏｒ  Ｎｅｕｒｏｌ  Ｎｅｕｒｏｓｃｉ  ５，１７３〜１７９；Ｂｏｒｇｅｎｓ（１９９９年）Ｎｅｕｒｏｓｃｉｅｎｃｅ  ９１，２５１〜６４））、さらに時間経過した慢性損傷へなされた治療に応じた機能の回復は、改良されなかった。特に、１００回を越える試みにおいて、成体モルモットにおいて、ＳＣＩ後のＣＴＭ機能化の自発的な回復、または、電場の適用に応じた回復は、２ヶ月より前のＣＴＭ損傷については全く観察されなかった（Ｂｏｒｇｅｎｓ等，（１９９３年）Ｒｅｓｔｏｒ  Ｎｅｕｒｏｌ  Ｎｅｕｒｏｓｃｉ  ５，３０５〜３２２）。
【００４８】
この実施例において、このような慢性ＣＴＭの欠損は、イノシン単独、または、イノシンとＯＦＳとを組み合わせることのいずれかでの処理によって、部分的に元に戻ることができると最初に報告する。さらに、イノシンとＯＦＳとを組合わせた処理により、ＯＦＳまたはイノシンのいずれか単独による処理よりも強い回復が生じた。
【００４９】
この研究は、二部（研究１および研究２）で構成されている。主要な調査の研究１は、成体モルモットにおける、イノシンとＯＦＳの適用に応じた、慢性ＳＣＩからの回復の解剖学的および挙動的な評価である。研究２は、離断された白質のみに関する、成体モルモットのＳＣＩへの急性のイノシンとＯＦＳの適用に対する解剖学的な応答を評価した。特に注意がない限り、以下の方法を両方の研究に適用する。
【００５０】
動物、麻酔および外科手術
この研究には、完全な成体（約４００グラム（ｇ））の雌モルモット（ハートレー系）を用いた。外科手術の前に、それらを従来の方法でケタミン／キシリジンで麻酔し（Ｂｏｒｇｅｎｓ等（２００２年）Ｊ．Ｅｘｐ．Ｂｉｏｌ．２０５，１〜１２）、外科手術後に加熱ランプで温め続け、調査期間中、個々におりの中で維持し、えさを適宜与えた。研究の最後に、麻酔の過剰投与によって動物を安楽死させ、その後解剖学的研究用に脊髄を回収した（Ｂｏｒｇｅｎｓ等（２００２年）Ｊ．Ｅｘｐ．Ｂｉｏｌ．２０５，１〜１２を参照）。
【００５１】
全ての動物Ｔ９〜Ｔ１１に、脊髄の脊椎面を露出させる椎弓切除術を行った。右側方の半側切断を特別な切断装置を用いて行い（図１）、切断された組織に鋭利なピンを貫通させることによって、「完全」（すなわち、実質が残存していないこと）であることをさらに確認した。この操作により、脊髄の右側全体を正中線から脊髄の最も右の境界線へ切断し、吻側セグメントと尾部セグメントを形成した。脊髄の左側全体は、無傷のまま残された。離断の直後に、以前に、Ｂｏｒｇｅｎｓ等（１９８６年）Ｊ．Ｃｏｍｐ．Ｎｅｕｒｏｌ  ２５０，１６８〜１８０、ならびに、ＢｏｒｇｅｎｓおよびＢｏｈｎｅｒｔ（１９９７年）Ｅｘｐ．Ｎｅｕｒｏｌ．１４５，３７６〜３８９で説明されているように、外科用ステンレス鋼製のマーカー装置を、損傷に挿入した。研究期間中、この装置をその場に残し、組織学的に加工する前に除去した。この手順によれば、組織中の孔はそのまま残るため、数ヶ月前の慢性損傷においても正確な離断面が正確にマークされた（図１および２）。
【００５２】
図１Ａで示されるように、ＣＴＭ反射作用の求心および遠心経路は、モルモットの左側に図示される。皮膚における侵害受容体は、脊椎の皮神経（ＤＣＮ）を介して、脊髄への感覚求心を投影する。ＤＣＮは、セグメント単位で、だいたい互いに平行になるように配置され、脊髄に垂直であり、後根の構成要素として、脊髄に投影する。上行ＣＴＭ求心は、脊髄を、ＣＴＭ路として投影アップする。ＣＴＭ路は、右側および左側の両方の腹側の索における脊髄視床路へのちょうど側方に配置される。極めてわずかな中継により、上行路が形成され、これは、頚部／胸部の連結部に位置する運動ニューロンのプールに投影する。これらは順に、側方の胸部と腕神経叢との分岐を介して、皮膚の躯幹の皮筋の後ろの遠心性の運動線維を投影する。左と右のニューロンプール間の神経の連結は存在しないが、脊髄の上行ＣＴＭの投影の範囲内に、わずかな反対側の神経支配がある。モルモットの脊髄の右側で、脊髄損傷（説明する目的のために、大きいギャップで示す）は、その側においてのみ上行ＣＴＭ路をさえぎっている。これにより、背中の皮膚上に、触覚の刺激に反応しなくなる領域が生じる（すなわち反射消失）。この反射消失領域は、この脊髄の右側方の半側切断のレベルの側方、および、それより下である。注目すべきことは、損傷と同側およびそれより上部、ならびに損傷と反対側のＣＴＭ反射作用は、影響を受けないことである。両方のＣＴＭ路を傷つけた全幅の損傷は、動物の両側の損傷より下の皮膚の反応性を損失させると予想される。損傷の上方にある背中の皮膚は、このような脊髄損傷の影響を受けないと予想される。これを、ビデオの再構成で示す（図１に示す）。図１Ｂは、無傷のＣＴＭ受容域の輪郭を示す。この領域内に触覚を与えると、背中の皮膚とこの領域の外側に単収縮が生じたが、刺激によるＣＴＭの皮膚の収縮は生じなかった。この一連の鎮静処置した動物の皮膚の光の触覚の刺激を上から録画し、図面をコンピューターによって再構成する。図１Ｃは、脊髄全幅を圧縮することによる損傷の結果を示す。ＣＴＭ受容域の下半分において輪郭をとられた領域は、反射消失領域である。触覚の刺激に反応しなくなったのは、このＣＴＭ受容域の下半分である。図１Ｄは、ＣＴＭの回復領域の輪郭を示す。この領域内において、ＣＴＭ反応性は元に戻っている。図１Ｅは、録画テープからの枠であり、毛を剃られた動物の背中上に入れ墨されたドットのグリッドを示す。このグリッドは、ＣＴＭ試験中に動物の背中にマーカーで描かれた輪郭と組み合わせた、ＣＴＭ反射作用のさらなる定量に有用である。
【００５３】
全ての研究グループを、安楽死させる前に、さらに３ヶ月評価した。
【００５４】
研究１において、脊髄の離断を行い、その動物は、約３ヶ月未処理のままにした。次に、以下で概略するように、慢性の動物に実験的処理を実行した。
【００５５】
研究２において、動物を離断し、２４時間以内に実験的に処理した。離断後約３０日に、細胞内軸索マーカーを脊髄に注射し、安楽死の約１８時間後に回復した。研究２の動物では、解剖学的な評価のみを行った。挙動の試験は行わなかった。
【００５６】
実験グループ
研究１における３種の実験グループは以下の通りである：
１）「イノシンのみ」グループ。１５匹の動物の皮下に、アルゼット（Ａｌｚｅｔ）マイクロ浸透圧ポンプ（モデル番号１００２）を頚部領域の背中の皮膚の下に埋め込んだ。このポンプは、イノシン溶液（１０ミルモル濃度（ｍＭ），滅菌乳酸リンゲル液中）を０．２５ミリリットル（ｍＬ）／時間でデリバリーした。イノシンの連続的な点滴を１４日間継続し、次に、安楽死までに中止し、約２．５月後に安楽死させた。
【００５７】
２）「イノシンおよびＯＦＳ」グループ。これらの１６匹の動物は、上述と同一のイノシンの点滴を受けたが、それに加えて、小型化ＯＦＳユニット（ＭｏｒｉａｒｔｙおよびＢｏｒｇｅｎｓ（１９９９年）Ｒｅｓｔｏｒ  Ｎｅｕｒｏｌ  Ｎｅｕｒｏｓｃｉ  １４，５３〜６４）を同時に埋め込んだ。小型化ＯＦＳユニットは、極性の逆転をデューティサイクル１５分に設定して、４週にわたりトータルで約４５ミリアンペア（ｍＡ）の電流をデリバリーした（以下の刺激装置の設計、および、埋め込みを参照）。
【００５８】
３）１５匹の動物の「コントロール」グループ。これらの動物に、アルゼットポンプ（滅菌乳酸リンゲル液のみをデリバリーする）と、機能しない偽のＯＦＳ刺激装置を埋め込んだ。
【００５９】
研究のこの部分の最後に、研究１における全ての動物のＣＴＭの挙動を評価し、白質の解剖学的を評価した。
【００６０】
研究１には、この調査における偽のＯＦＳまたは活性ＯＦＳ単独を埋め込んだ研究グループは含まれていない。その代わりに、活性および偽のＯＰＳ刺激装置両方の埋め込みを用いた以前の実験で、同様に処理された慢性モルモットの相当数が処理されており、これらのデータはいずれかで報告されおり（Ｂｏｒｇｅｎｓ等（１９９３年）Ｒｅｓｔｏｒ  Ｎｅｕｒｏｌ  Ｎｅｕｒｏｓｃｉ  ５，３０５〜３２２）ため、本発明においてはこの従来データを用いる。簡単に言えば、Ｂｏｒｇｅｎｓ等（１９９３年）Ｒｅｓ  Ｎｅｕｒｏｌ  ＆  Ｎｅｕｒｏｓｃｉ  ５，１７３〜１７９においてより詳細に報告されているように、半側切断後３ヶ月で偽の刺激装置を埋め込んだ２６匹の動物のうち、２１匹を、半側切断後１２ヶ月を越えて観察し、１匹を６ヶ月、３匹を６ヶ月未満観察した。全ての動物において、観察期間を通して、反射消失領域の性質、サイズまたは側面という観点での変化は観察されなかった。反射消失領域内での触覚の刺激に応じたＣＴＭ反射作用活性の完全な欠失は、全ての偽の処理を施した動物において特徴的であった。半側切断後３ヶ月に活性電気刺激装置を埋め込んだ動物において、頭部に負の電場が適用された１３匹の動物ではＣＴＭ反射作用の回復は観察されず、そのうち８匹を少なくとも９ヶ月間継続し、そのうち５匹を３ヶ月観察した；または、尾部に負の電場が適用された１１匹の動物において、そのうち８匹を９ヶ月観察し、そのうち３匹を３ヶ月観察した。偽の処理を施されたグループにおいて、電気的に処理された動物の反射消失エリアは、研究期間中、形状および特徴の変化はなかった。
【００６１】
研究２において、「イノシンのみ」グループ（１４匹の動物）、「イノシンおよびＯＦＳ」グループ（１５匹の動物）、および、「コントロール」グループ（１３匹の動物）を、解剖学的な方法だけを用いて約６０日の最後に評価した。
【００６２】
ＳＣＩ後のＣＴＭ反射作用の挙動の評価
ＳＣＩの後の、ロングトラクトの感覚運動の機能化に対して評価するために選択された挙動モデルは、ＣＴＭ反射作用である（Ｂｌｉｇｈｔ等（１９９０年）Ｊ  ｏｆ  Ｃｏｍｐ  Ｎｅｕｒｏｌ  ２９６，６１４〜３３；Ｂｏｒｇｅｎｓ（２００３年）Ｒｅｓｔｏｒｉｎｇ  Ｆｕｎｃｔｉｏｎ  ｔｏ  ｔｈｅ  Ｉｎｊｕｒｅｄ  Ｈｕｍａｎ  Ｓｐｉｎａｌ  Ｃｏｒｄ（Ｓｐｒｉｎｇｅｒ−Ｖｅｒｌａｇ，Ｈｅｉｄｅｌｂｅｒｇ）で総論されている）。ＣＴＭ反射作用は、皮膚の筋肉の収縮として観察され、側の皮膚の局所的な触覚の刺激に応じて「しわ」として観察される。脊髄損傷の観点で、同様に、その神経学的な回路の観点で、ＣＴＭ反射作用は、ラット（ＴｈｅｒｉａｕｌｔおよびＤｉａｍｏｎｄ（１９８８年）Ｊ  Ｎｅｕｒｏｐｈｙｓｉｏｌ  ６０，４４６〜４６２）、および、モルモット（Ｂｌｉｇｈｔ等（１９９０年）Ｊ  ｏｆ  Ｃｏｍｐ  Ｎｅｕｒｏｌ  ２９６，６１４〜３３）の両方において完全に同定されており、このことは、当業界周知である。本発明の研究では、実験用ラットおよびモルモットにおける、ＳＣＩの自発的な「歩行および足踏み」モデルは用いられなかったが、これは、完全に離断した後でも脊髄による（反射作用的な）歩行および足踏みが高い確率で生じる可能性があり、さらに、自発的な歩行運動を裏付ける神経回路は十分に同定されていないということによる（Ｂｌｉｇｈｔ等（１９９０年）Ｊ  ｏｆ  Ｃｏｍｐ  Ｎｅｕｒｏｌ  ２９６，６１４〜３３；Ｂｏｒｇｅｎｓ等（２００２年）Ｊ．Ｅｘｐ．Ｂｉｏｌ．２０５，１〜１２；Ｂｏｒｇｅｎｓ（２００３年）Ｒｅｓｔｏｒｉｎｇ  Ｆｕｎｃｔｉｏｎ  ｔｏ  ｔｈｅ  Ｉｎｊｕｒｅｄ  Ｈｕｍａｎ  Ｓｐｉｎａｌ  Ｃｏｒｄ（Ｓｐｒｉｎｇｅｒ−Ｖｅｒｌａｇ，Ｈｅｉｄｅｌｂｅｒｇ））。ＣＴＭ反射作用モデルの重要な特徴は、脊髄内の上行求心路を離断した後に、ＣＴＭ機能化が総合的で完全に損失していることである。これは、動物の寿命にわたり自発的に（いかなる程度にも）回復しない（Ｂｌｉｇｈｔ等（１９９０年）Ｊ  ｏｆ  Ｃｏｍｐ  Ｎｅｕｒｏｌ  ２９６，６１４〜３３；Ｂｏｒｇｅｎｓ（２００３年）Ｒｅｓｔｏｒｉｎｇ  Ｆｕｎｃｔｉｏｎ  ｔｏ  ｔｈｅ  Ｉｎｊｕｒｅｄ  Ｈｕｍａｎ  Ｓｐｉｎａｌ  Ｃｏｒｄ．（Ｓｐｒｉｎｇｅｒ−Ｖｅｒｌａｇ，Ｈｅｉｄｅｌｂｅｒｇ））。この特定の研究において、未処理の動物において、離断と同側（右側）、およびそれより下部の背中の皮膚の筋肉の収縮は全て、再び機能することは予想されない。
【００６３】
ＣＴＭの挙動を説明し、分析し、定量する手段の徹底的な説明は、例えば、Ｂｏｒｇｅｎｓ等（２００２年）Ｊ．Ｅｘｐ．Ｂｉｏｌ．２０５，１〜１２に記載されている。簡単に言えば、ドットのマトリックスは、モルモットの毛を剃られた背中の皮膚にマークされる。皮膚が収縮すると（通常、局所刺激の方向に）ドットも同様に移動する。背中の皮膚の刺激の配列全体は、ＣＴＭ運動を惹起するモノフィラメントプローブと共に上から録画される（図１）。これを、ＳＣＩの前に無傷（損傷のない動物）で実行して、それぞれの動物に関するＣＴＭ運動の個々のパターンを確立する。
【００６４】
ドライイレースマーカーを用いて、技術者により、無傷の動物における応答する皮膚と応答しない皮膚の境界をマークし、動物の背中の皮膚上の総合的に感受性のあるＣＴＭ域の完全な画像を提供する。ＣＴＭ反射作用の損失を、触覚の刺激に反応しなくなった皮膚の領域として観察し、ＣＴＭ反射作用の回復は、この領域への光の触覚の刺激に応じた皮膚の収縮が元に戻ることと定義される。ベクター、収縮速度、および、刺激の後のＣＴＭ応答の潜伏期間は、録画された挙動の定量的なコンピューター処理された評価から得ることができるが（Ｂｏｒｇｅｎｓ等（２００２年）Ｊ．Ｅｘｐ．Ｂｉｏｌ．２０５，１〜１２）、最も有益な測定は、もともと無傷の受容域に対するＣＴＭ損失のエリア（％）である。例えば、脊髄が中央の胸部領域で左から右に完全に離断された場合、総受容域の約５０％が破壊されると予想される。これは、離断面上部の受容域が、完全に無傷であり、機能化されているためである。従って、ＣＴＭ反応性の５０％が損傷の「下部」（尾部）で失われ、５０％が損傷の「上部」（吻側）で無傷のまま残る。
【００６５】
本発明の実施例で用いられた離断手順において（右片側の半側切断）、脊髄は、正中線の片側のみが完全に離断され、従って、ＣＴＭの機能化は、損傷面の「上部」と、「反対」側の両方において正常である。通常、これにより、総受容域のＣＴＭ反応性の約２５％が損失する。
【００６６】
脊髄白質の軸索の細胞内の標識化
多数の以前の出版物において、モルモットの脊髄白質への、様々な細胞内の標識の注入が説明されている。例えば、Ｂｏｒｇｅｎｓ等（１９８６年）Ｊ  Ｃｏｍｐ  Ｎｅｕｒａｌ  ２５０，１６８〜１８０、および、Ｂｏｒｇｅｎｓ等（１９９９年）Ｊｏｕｒｎａｌ  ｏｆ  Ｎｅｕｒｏｔｒａｕｍａ  １６，６３９〜５７を参照。簡単に言えば、動物を殺す約１８時間前に、脊髄に外科手術を施し、蛍光標識されたデキストラン（約２０ｍＬ）をハミルトン（Ｈａｍｉｌｉｔｏｎ）のシリンジを用いて注入した。標識（５０％，蒸留水中；１０，０００ダルトン）を白質の実質、離断面から吻側および尾部への約２個の脊椎セグメントに深く注入した（通常は、留置マーカー装置があるためにまだ目視可能である）。ＦＩＴＣ接合デキストラン（「フロロ−エメラルド（Ｆｌｏｕｒｏ−ｅｍｅｒａｌｄ）」）を離断面の吻側に注入し、ローダミン接合デキストラン（「フロロ−ルビー（Ｆｌｏｕｒｏ−ｒｕｂｙ）」）を離断面の下部に注入した。従って、この前方への二重標識技術により、上行線維（大部分は感覚求心線維）（損傷に向かって、その下部から投影した）と、下行軸索（主として運動線維）（損傷に向かって、その上部から投影した）の両方がマークされた。縦方向に水平な断片から組織学的サンプルを得たが、これにおいて、単一の軸索の投影の全範囲は、場合によってはトレースされて、離断面に届かない、または、離断面に再生する、離断面の周りに再生する、または、離断面を越えて再生することがあり得る。
【００６７】
この手順は、場合によっては、単一の単位軸索の変性および再生の劇的な例を提供する可能性がある。しかしながら、縦方向に水平な断片における個々の軸索をカウントする試みは生産的ではない。場合によっては、軸索は、ねじれた、および、湾曲した軌道をとり、個々の組織学的サンプルにおいて１回を越えてカウントすることが予想される。加えて、線維の伸長および分岐は、個々の切断された線維の断端からの伸長に対して、誤ったカウントが生じる可能性がある。その代わりに、動物（軸索が離断面から２５０μｍ超（留置マーカーの使用によって正確に同定された）で、実際の離断面の２５０μｍ以内に終結し、正確な離断面を隣接する脊髄セグメントを越えるようにトレースすることができる）の比率を比較する。これらのデータを得る際、評価装置において、動物の実験的処理は無視された。オリンパス（Ｏｌｙｍｐｕｓ）のＶａｎ  Ｏｘ顕微鏡からの画像を、オプトロニクス（Ｏｐｔｒｏｎｉｃｓ）ＤＥＩ−７５０カラービデオカメラを用いて得て、アドビ（Ａｄｏｂｅ）のトゥエイン（Ｔｗａｉｎ）３２ソフトウェアを用いてＰＣにキャプチャーした。
【００６８】
刺激装置の設計、および、埋め込み
モルモットに埋め込まれた小型化ＯＦＳユニットは、以前に出版された論文（ＭｏｒｉａｒｔｙおよびＢｏｒｇｅｎｓ（１９９９年）Ｒｅｓｔｏｒ  Ｎｅｕｒａｌ  ａｎｄ  Ｎｅｕｒｏｓｃｉ  １４，５３〜６４）で用いられたものと同一であった。ＯＦＳの製造およびＯＦＳ埋め込みの図式的な回路は、当業界公知である（Ｂｏｒｇｅｎｓ等（１９９３年）Ｒｅｓｔｏｒ  Ｎｅｕｒｏｌ  Ｎｅｕｒｏｓｃｉ  ５，３０５〜３２２；Ｂｏｒｇｅｎｓ（１９９９年）Ｎｅｕｒｏｓｃｉｅｎｃｅ  ９１，２５１〜６４）。簡単に言えば、個々のユニットを、医薬品グレードのテフロン（Ｔｅｆｌｏｎ）でコーティングし、それらのアウトプットは、３０μＡの総ＤＣ電流とし、極性の逆転は、１５分間ごとに発生させた。テフロンコーティングした刺激装置の長い対を、外科的に、刺激装置の埋め込み部位（背中の皮膚の下）から脊柱に経由させ、そこで、脊椎傍の筋系に固定した。これらの医薬品グレードの白金／イリジウム電極の隔離されていない末端を、脊髄損傷の吻側および尾部に約２個の脊椎セグメントで配置した。これらのユニットは、電界強度約１０ｍＶ／ｍｍに対して、有効電流密度４５μＡ／ｃｍ２を生じさせると推定される。これらの推定は、刺激の間に電流密度と電界強度を４回測定することに基づく（Ｂｏｒｇｅｎｓ等（１９９０年）Ｊ．Ｃｏｍｐ．Ｎｅｕｒｏｌ．２９６，６３４〜６５３）。
【００６９】
統計学的評価
通常、手段のノンパラメトリック評価と比較には、マン‐ホイットニーまたはウィルコクソン（Ｗｉｌｃｏｘｉａｎ）の検定のいずれかの使用が含まれるが、一方で、比率の比較は、フィッシャーの直接確率検定を用いて、Χ２乗検定試験のより従来的な改変法を用いて行われた。全ての比較は、インスタット（Ｉｎｓｔａｔ）ソフトウェアで行われた。
【００７０】
一般的な研究の実行
初めに、２つの装置（ＯＦＳユニットと浸透圧ポンプ）のための実質的な外科手術と埋め込み手順を考慮すると、研究１における慢性的に損傷のある動物における動物の長期の生存と健康が懸案事項であり、最初の脊髄外科手術の後の長い生存時間が必要とされた（６ヶ月）。しかしながら、研究１に用いられた４６匹の動物のうち、様々な難点のために取り替える必要があったのはわずか７匹であった。外科手術の後に、ただし実験的「治療」を約３ヶ月で始める前に、２匹の動物を取り除いた。それらは、損傷が「失敗していたこと」が明白であったため、すなわちＣＴＭの挙動は、脊髄損傷によって失われていなかったために取り除いた。１匹の動物は、最初の外科手術の直後に死亡した。実験的処理の前に自食作用の問題のために３匹の動物を取り除いた。実験的処理の開始後に、装置の埋め込み部位における持続性の感染のために１匹の動物を置き換えた。これは、ＯＦＳ埋め込み部位に局在化しており、この動物を人道的に安楽死させ、挙動的または解剖学的に評価されなかった。
【００７１】
調査の最後に、ＣＴＭ損失の程度をプラニメトリによって解析した。各動物における無傷のＣＴＭ受容域の単位エリア（１００％として算出する）を、半側切断の次の日の損失％と比較した。これは、ＣＴＭの欠損の単位エリアに対して、全てのグループが同様に標準化した損傷を受けている場合に成立する。全てのグループが、統計学的に類似したＣＴＭ損失率で外科手術から生き残った。
【００７２】
ＣＴＭ反射作用の挙動の回復
ポンプ（滅菌塩類溶液のみをデリバリーされた）と、不活性なＯＦＳユニットを埋め込まれた１５匹のコントロール動物のうち、いずれかの非機能的ＣＴＭ受容域を回復させた動物は１匹ではなかった。研究の最後におけるそれらのＣＴＭ反応性の性質は、脊髄の半側切断によって生じた性質と同一であり、すなわち、受容域の約２５％が不活性のままであった。実験グループ；「イノシン単独」と「イノシンとＯＦＳ」の両方において、様々な程度のＣＴＭの回復が観察された。組合わせ治療で回復した動物に比べて（６匹の動物）、イノシン処理されたグループにおいて、より多くの動物がＣＴＭの挙動をいくらか回復させた（１１匹の動物）；しかしながら、この差は統計学的に有意ではなかった（Ｐ＝０．１６；フィッシャーの直接確率検定）。しかしながら、両方の治療は、コントロールグループに比べて、統計学的に有意にＣＴＭ反射作用を回復させた（「コントロール」対「イノシン単独」；Ｐ＜０．０００１；「コントロール」対「イノシンとＯＦＳ」；０．０１，フィッシャーの直接確率検定）。組合わせ治療において、全ての回復した動物は、ただし、片側に、実験的な適用の１ヶ月後までにＣＴＭが明らかに出現した。ＣＴＭの回復は、併用療法に応じて、さらに遅れた（これと同じ適用後の期間中に、１１匹の「イノシンとＯＦＳ」動物のうち３匹しか回復しなかったため）。両方のグループにおける回復した動物の総数は低いことを考慮したとしても、この差は統計学的に有意であった（Ｐ＝０．０４；フィッシャーの直接確率検定）。
【００７３】
研究の最後に、組合わせ治療に応じたＣＴＭ受容域の回復（％）はさらに変動したが、イノシン治療単独によって達成された回復（％）より大きかったが（２３．５±３．６と比較して、平均２８．１±１７．８）、この差は統計学的に有意ではなかった（Ｐ＝０．５；マン‐ホイットニー）。
【００７４】
軸索の再生の解剖学
下記の表１は、３グループそれぞれにおける、細胞内標識が注射された脊髄（Ｎ）、および、組織学的に損失している脊髄（ＬＴＨ）の数を示す。これら脊髄（マークした線維が４ゾーンにトレースされている）の比率は、試験された脊髄の数に対して示された。グループ間の統計学的な比較は、グラフの下部に示す（フィッシャーの両側直接確率検定）。このデータは、ローダミン標識された上行線維と、ＦＩＴＣ標識された下行する投影の両方に関して提供される。留意すべきことは、組織学的に損失した脊髄の数は、いずれのグループ間でも顕著に異なっていなかったことである。
【００７５】
【表１】
2006517807.tif 000002
【００７６】
【表２】
2006517807.tif 000003
【００７７】
表１に、慢性的に損傷のある動物の研究１における全ての動物の脊髄内における、上行路と下行路の両方の前方への充填の結果をまとめる。留意すべきことは、全ての脊髄が比較する価値があるわけではないと考えらることである。ここで比較されないもの、または、考察されないものにおける最も顕著な問題は、標識の取り込みが不足していることである。このような「誤った充填」は、脊髄の左側（離断されていない側）にある損傷から２つの脊椎セグメントで色素を取り込んだ線維路を示す許容できる脊髄と簡単に区別することができた。これらは通常、場合によっては、半側切断を過ぎて１センチメートル超を投影した。従って、脊髄が不十分な色素取り込みの明白な兆候を示す場合、または、その他の点で、組織学的な加工におけるその他の問題による不良な候補である場合に、それらは評価されなかった。言い換えれば、正中線の左の、すなわち半側切断に隣接した脊髄内で、無傷で標識された軸索が出現している脊髄のみを、解剖学的に評価した（図２を参照）。損傷に対する軸索の投影の程度または距離を決定する際に、その他のプロトコールを１つだけ続いて用いた。軸索の終結は、平滑と定義され、また場合によっては、焦点をはっきりさせる場合、先端が示された。通常、線維は、蛍光強度の低下により先端がはっきりしていない場合、終結したとはみなされなかった。場合によっては、線維がマイクロトームで離断されている場合、軸索末端の誤った印象が生じる可能性もある（残存した部分は、次の組織学的断片に用いられる（Ｂｏｒｇｅｎｓ等（１９８６年）Ｊ  Ｃｏｍｐ  Ｎｅｕｒａｌ  ２５０，１６８〜１８０を参照）。しかしながら、これは、特定のグループにおいてはそれほど頻繁には起こらないと予想され、それらの実験的処理の知見を用いずに、断片を評価し、スコアをつけた。
【００７８】
いずれかのグループにおける脊髄の３０％〜４０％に、標識の不十分な取り込み（および／または、組織学的な加工によるその他の問題）が起こったが、有効である。グループ間で組織学的に損失した脊髄の数を比較（吻側および尾部の充填の質（それぞれ下行路および上行路）の比較など）したところ、それらの間で有意差はなかった （表１）。最終的に、デキストラン注入点と損傷との間の後根で色素が取り込まれた証拠はなく、それゆえに、これに基づいて排除はなされなかった（ＢｏｒｇｅｎｓおよびＢｏｈｎｅｒｔ（１９９７年）Ｅｘｐ  Ｎｅｕｒａｌ  １４５，３７６〜８９を参照）。
【００７９】
全ての（ただし３匹コントロール）動物において、前方に向かって標識された線維は、離断面に対して吻側または尾部に向かって２５０μｍ超の距離で終結していた。これらの３匹のうち１匹のみにおいて（上行軸索）、線維は、充填ポイントから損傷面に（尾部から損傷に）トレースされたが、損傷をクロスしていなかった。同じ動物において、吻側の脊髄から投影している線維はこの面に達していなかったが、その約１００μｍ以内に充填されていた。他の２匹の動物において、上行および下行線維は、面を２５０μｍ越えて前方に向かって充填されたが、以前の標本でみられるように損傷近辺に投影しなかった。
【００８０】
解剖学的データの考察を簡易化するために、標識された上行路および下行路の考察を別々に示す。表１は、動物の比率を比較した詳細と、それらの間の統計学的比較を提供する。上行路の比較に関して、研究に利用可能な脊髄の数はさらに減少したが、コントロールグループと両方の治療グループとの差が最も顕著であった。特に、イノシン／ＯＦＳの組合わせ治療により、上行線維が、損傷の２５０μｍ以内で、それに加えて損傷面で終結されていることが発見された脊髄の数が、顕著に増強することが明らかになった。９のコントロール脊髄のうち２つだけが、線維が損傷の２５０μｍ以内であることを示し、これらのうち一つだけにおいて、線維が半側切断面にトレースすることができる。イノシン／ＯＦＳで処理した脊髄の約９０％が、これらの位置に線維を含み、これらの脊髄軸索の４５％において、吻側セグメントへトレースすることができる。３匹全ての比較（すなわち、離断面の近辺に、離断面で、または、離断面を越えて）において、コントロールグループと併用療法との比較で統計学的な有意差が達成された。また、離断面の２５０μｍ以内に軸索を含むイノシンの輸液で処理された脊髄も、統計学的に有意に多かった。しかしながら、軸索が、切断面に、または、切断面の周りに、および／または、切断面を越えてトレースされたとみられる脊髄を比較したところ、有意性は達成されなかった（図３）。
【００８１】
下行路内の軸索を標識するためのＦＩＴＣ標識されたデキストランの前方への適用は、ローダミン−で標識されたデキストランよりもかなり優れた取り込み、および、優れた結合性を特徴とするが、コントロール、イノシン単独、および、イノシンとＯＦＳの組合わせ治療の組織学的に損失した数の差は、統計学的に有意ではなかった。線維が尾部セグメントへトレースされていないとみられる（損傷の周りに、または、損傷を通過して）脊髄は、コントロールと併用療法とを比較した場合にのみ有意であった。線維が離断面にある、または、２５０μｍ以内にある脊髄を比較したところ、イノシンで処理したグループのみが、コントロール標本と有意差があった。
【００８２】
まとめると、評価において脊髄の数が減少した場合でも、下行線維路よりも、上行路において、離断の後の軸索の退行性の変性（またはダイバック）が減少し、実験的処理に応じた軸索が再生するという最大の証拠を示した。その上、併用療法は、コントロールに対してこのような結果を生じさせるという点において、イノシン治療単独より有効であった。
【００８３】
実施例２
イヌにおける対麻痺の臨床ケースにおける、組合わせたＯＦＳとイノシン治療の作用
イノシンと組合わせたＯＦＳの臨床試験は、椎間板ヘルニアのために天然に生じた脊髄損傷があるイヌで行われる。試験承認の基準は、Ｂｏｒｇｅｎｓ等（１９９３年）Ｒｅｓｔｏｒ  Ｎｅｕｒｏｌ  Ｎｅｕｒｏｓｃｉ  ５，３０５〜３２２で以前に示されているとおりである。簡単に言えば、選択基準としては、以下のうち１またはそれ以上が挙げられる：完全な対麻痺、これは、神経学的試験および電気生理学的試験によって定義される；無傷のセグメントの反射作用；明らかな吻側または尾部への壊死の蔓延がない椎間板ヘルニアおよび局所的な損傷による脊髄の圧縮の、放射線学および脊髄造影法的な証拠；１６キログラム未満の体重減少。急性損傷と慢性損傷の両方を研究することができる。急性損傷は、治療まで１ヶ月未満の麻痺の発症を特徴とする。慢性損傷は、治療の１ヶ月超前の麻痺の発症を特徴とする。ＯＦＳ装置の外科的埋め込みは、以前に、Ｂｏｒｇｅｎｓ等（１９９３年）Ｒｅｓｔｏｒ  Ｎｅｕｒｏｌ  Ｎｅｕｒｏｓｃｉ  ５，３０５〜３２２で説明されているようになされてもよい。イノシンでの処理は、実施例１に示す一般的な手順に従ってもよい。研究グループは、ＯＦＳとイノシンで処理された動物と、イノシン単独で処理された動物を含むと予想される。さらに、研究に含まれるコントロールグループとしては、以下の、偽のＯＦＳと偽のイノシン治療で処理された動物、偽のＯＦＳ治療で処理された動物、偽のイノシンで処理された動物、および、治療を受けていない動物のいずれかが挙げられる。動物は、以前に、Ｂｏｒｇｅｎｓ等（１９９３年）  Ｒｅｓｔｏｒ  Ｎｅｕｒｏｌ  Ｎｅｕｒｏｓｃｉ  ５，３０５〜３２２で説明されているように、神経学的および電気生理学的な試験を受け得る。
【００８４】
実施例３
ヒトにおけるＯＦＳおよびイノシン治療の臨床試験
脊髄損傷を有する患者は、本発明で説明されたＯＦＳとイノシンでの組合わせ処理のフェーズＩ、フェーズＩＩおよびフェーズＩＩＩ臨床試験に参加するために、加えられ得る。承認は、適切な治験審査委員会（Ｉｎｓｔｉｔｕｔｉｏｎａｌ  Ｒｅｖｉｅｗ  Ｂｏａｒｄ）から得られ得る。イノシンは、ＰＤＡの医薬品の製造管理及び品質管理に関する基準（Ｇｏｏｄ  Ｍａｎｕｆａｃｔｕｒｉｎｇ  Ｐｒａｃｔｉｃｅ；ＧＭＰ）に従う供給元から得られ得る。患者は、治療後１年間は観察され得る。
【００８５】
ここで引用された全ての特許、特許出願、公報、および、電子的に利用可能な材料（例えば、ＧｅｎＢａｎｋおよびＲｅｆＳｅｑなどにおけるヌクレオチド配列の提出、および、例えば、ＳｗｉｓｓＰｒｏｔ、ＰＩＲ、ＰＲＦ、ＰＤＢおよびＧｅｎＢａｎｋにおけるアミノ酸配列の提出、およびＲｅｆＳｅｑにおいて注釈されたコード領域の翻訳、が挙げられる）の完全な開示は、参照により開示に含まれる。前述の詳細な説明および実施例は、単に理解するためだけに提供されたものである。それらから、不必要な限定が考慮されることはない。本発明は、示された、および、説明された正確な詳細に限定されず、当業者に明らかな改変が、請求項によって定義された本発明の範囲内で含まれ得る。
【００８６】
全ての項目は、読者に便宜をはかったものであり、特に他の規定がない限り、項目の後に続く本分の意味を限定するのに用いられることはない。
【図面の簡単な説明】
【００８７】
【図１】脊髄損傷に関する挙動インデックスとしての、躯幹の皮筋（ＣＴＭ）の反射作用を示す。
【図２】留置マーカー装置を用いた離断面の組織学的な決定を示す。
【図３】実験的な適用の後にの、上行（ゾーン１〜４，左から右へ移動する）、および、下行（ゾーン１〜４，右から左へ移動する）軸索の投影を示す。
【図１】
2006517807.tif 000004
【図２】
2006517807.tif 000005
【図３】
2006517807.tif 000006
【国際調査報告】
2006517807.tif 000007
2006517807.tif 000008